(57)【要約】【課題】ローミングが実行される際に使用されるプロファイルの選択について自由度を向上させることが可能な技術を提供する。【解決手段】電子機器は、通信網を用いた通信に利用可能な複数のプロファイルを記憶する記憶部と、複数のプロファイルのうちローミングが実行されるローミング対象地域において用いるプロファイルを示すプロファイル情報を受け取る受取部と、複数のプロファイルのいずれかのプロファイルを用いて通信する通信部と、電子機器の位置がローミング対象地域である場合に、プロファイル情報が示すプロファイルを使用した通信を通信部に実行させる制御部と、を含む。【選択図】図２
2019169898.tif 000002
【特許請求の範囲】
【請求項１】
電子機器であって、
通信網を用いた通信に利用可能な複数のプロファイルを記憶する記憶部と、
前記複数のプロファイルのうちローミングが実行されるローミング対象地域において用いるプロファイルを示すプロファイル情報を受け取る受取部と、
前記複数のプロファイルのいずれかのプロファイルを用いて通信する通信部と、
前記電子機器の位置が前記ローミング対象地域である場合に、前記プロファイル情報が示すプロファイルを使用した通信を前記通信部に実行させる制御部と、
を含む電子機器。
【請求項２】
前記プロファイル情報は、前記複数のプロファイルのうち一のプロファイルを示す
請求項１に記載の電子機器。
【請求項３】
前記プロファイル情報は、前記複数のプロファイルのうち、二以上のプロファイルを示し、
前記制御部は、前記電子機器の位置が前記ローミング対象地域である場合、前記二以上のプロファイルのうち一のプロファイルを使用した通信を前記通信部に実行させる
請求項１に記載の電子機器。
【請求項４】
前記制御部は、前記通信部が前記ローミング対象地域において用いるプロファイルを、前記ローミング対象地域における前記通信部での通信の状況に応じて、前記二以上のプロファイルの中で切り替える
請求項３に記載の電子機器。
【請求項５】
前記通信部が前記プロファイル情報を変更する旨の変更情報を受信した場合、前記プロファイル情報を、前記変更情報に基づいて変更する変更部を含む
請求項１から４のいずれか１項に記載の電子機器。
【請求項６】
前記変更部は、前記変更情報の送信元が予め定められた送信元である場合にのみ、前記プロファイル情報を前記変更情報に基づいて変更する
請求項５に記載の電子機器。
【請求項７】
前記ローミング対象地域は、複数のローミング対象地域のいずれかであり、
前記プロファイル情報は、前記複数のローミング対象地域のそれぞれについて、前記複数のプロファイルのうち当該ローミング対象地域において用いるプロファイルを示す
請求項１から６のいずれか１項に記載の電子機器。
【請求項８】
ローミングが実行されるローミング対象地域において電子機器が通信網を用いた通信に利用するプロファイルを示すプロファイル情報を記憶する記憶部と、
前記電子機器と通信する通信部と、
前記ローミング対象地域に前記電子機器が位置することを意味する通知を前記通信部が受信した場合、前記プロファイル情報が示すプロファイルを使用する旨を示すプロファイル指示を前記電子機器に送信する動作を、前記通信部に実行させる制御部と、
を含む通信管理装置。
【請求項９】
電子機器が行うプロファイル切替方法であって、
通信網を用いた通信に利用可能な複数のプロファイルを記憶し、
前記複数のプロファイルのうちローミングが実行されるローミング対象地域において用いるプロファイルを示すプロファイル情報を受け取り、
前記電子機器の位置が前記ローミング対象地域である場合に、前記プロファイル情報が示すプロファイルを使用して通信を行う
プロファイル切替方法。
【請求項１０】
ローミングが実行されるローミング対象地域において電子機器が通信網を用いた通信に利用するプロファイルを示すプロファイル情報を記憶し、
前記ローミング対象地域に前記電子機器が位置することを意味する通知を受信した場合、前記プロファイル情報が示すプロファイルを使用する旨を示すプロファイル指示を前記電子機器に送信する
プロファイル切替方法。
【発明の詳細な説明】
【技術分野】
【０００１】
本発明は、電子機器において通信に利用するプロファイルを切り替える技術に関する。
【背景技術】
【０００２】
特許文献１には、通信網を用いた通信に利用可能な複数のプロファイルの中で、通信に用いる活性状態のプロファイルを切り替える移動機が記載されている。この移動機では、ローミングが必要となる地域（以下「ローミング対象地域」とも称する）において使用されるプロファイルは、ホーム網に対応したプロファイル（以下「ホーム網プロファイル」とも称する）に固定されている。
【先行技術文献】
【特許文献】
【０００３】
【特許文献１】特開２０１７−６３３０２号公報
【発明の概要】
【発明が解決しようとする課題】
【０００４】
特許文献１に記載の移動機では、ローミング対象地域において、ホーム網プロファイルとは異なるプロファイルを使用できず、ローミングが実行される際に使用されるプロファイルの選択について自由度が低かった。
【０００５】
本発明は、ローミングが実行される際に使用されるプロファイルの選択について自由度を向上できる技術を提供することを目的の１つとする。
【課題を解決するための手段】
【０００６】
本発明の一態様に係る電子機器は、通信網を用いた通信に利用可能な複数のプロファイルを記憶する記憶部と、前記複数のプロファイルのうちローミングが実行されるローミング対象地域において用いるプロファイルを示すプロファイル情報を受け取る受取部と、前記複数のプロファイルのいずれかのプロファイルを用いて通信する通信部と、前記電子機器の位置が前記ローミング対象地域である場合に、前記プロファイル情報が示すプロファイルを使用した通信を前記通信部に実行させる制御部と、を含む。
【発明の効果】
【０００７】
本発明の一態様によれば、ローミングが実行される際に使用されるプロファイルの選択について自由度を向上させることが可能になる。
【図面の簡単な説明】
【０００８】
【図１】通信システム１の全体構成を示す図である。
【図２】移動通信端末４の一例を示す図である。
【図３】記憶部４１が記憶している情報の一例を示す図である。
【図４】移動通信端末４の動作を説明するためのフローチャートである。
【図５】移動通信端末４の動作を説明するためのフローチャートである。
【図６】移動通信端末４の動作を説明するためのフローチャートである。
【図７】通信管理装置５ａ１を示す図である。
【図８】通信管理装置５ａ１の動作を説明するためのフローチャートである。
【図９】２つのプロファイル７ａ及び７ｂを示したプロファイル情報の一例を示す図である。
【図１０】ローミング対象地域ごとに、ローミング対象地域において用いるプロファイルを示したプロファイル情報の一例である。
【図１１】移動通信端末４及び通信管理装置５ａ１の各々のハードウェア構成の一例を示す図である。
【発明を実施するための形態】
【０００９】
以下、図面を参照しながら本発明に係る実施の形態を説明する。図面において各部の寸法及び縮尺は実際の構成と適宜異なる。以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られない。
【００１０】
＜第１実施形態＞
図１は、通信システム１の全体構成を示す図である。通信システム１は、移動通信網２ａ、２ｂ及び２ｃと、国際ローミング網３と、移動通信端末（以下、単に「端末」とも称する）４と、通信制御システム５ａ、５ｂ及び５ｃと、を含む。移動通信網２ａ、２ｂ及び２ｃの各々は、通信網の一例である。端末４は、電子機器の一例である。
【００１１】
移動通信網２ａは、Ａ国に存在する。移動通信網２ａは、Ａ国の通信事業者によって管理されている。移動通信網２ａは、移動通信網２ａの通信サービスエリア６ａにおいて基地局（不図示）を介して端末４に通信サービスを提供する。
【００１２】
移動通信網２ｂは、Ｂ国に存在する。移動通信網２ｂは、Ｂ国の通信事業者によって管理されている。移動通信網２ｂは、移動通信網２ｂの通信サービスエリア６ｂにおいて基地局（不図示）を介して端末４に通信サービスを提供する。
【００１３】
移動通信網２ｃは、Ｃ国に存在する。移動通信網２ｃは、Ｃ国の通信事業者によって管理されている。移動通信網２ｃは、移動通信網２ｃの通信サービスエリア６ｃにおいて基地局（不図示）を介して端末４に通信サービスを提供する。
【００１４】
国際ローミング網３は、移動通信網２ａと移動通信網２ｂとの間において行われる通信、移動通信網２ｂと移動通信網２ｃとの間において行われる通信、及び、移動通信網２ｃと移動通信網２ａとの間において行われる通信を中継する。
【００１５】
移動通信網２ａ、２ｂ及び２ｃについては、特に区別の必要がない場合は、これらを総称して「移動通信網２」と称する。移動通信網２の数は３に限らず４以上でもよい。通信サービスエリア６ａ、６ｂ及び６ｃについては、特に区別の必要がない場合、これらを総称して「通信サービスエリア６」と称する。
【００１６】
端末４は、移動通信網２から無線によって通信サービスを受ける。端末４は、例えば、スマートフォン、タブレット、又は、他の通信端末である。
【００１７】
通信制御システム５ａは、移動通信網２ａに含まれる。通信制御システム５ａは、移動通信網２ａへの端末４の接続を制御するコンピュータシステムである。
通信制御システム５ｂは、移動通信網２ｂに含まれる。通信制御システム５ｂは、移動通信網２ｂへの端末４の接続を制御するコンピュータシステムである。
通信制御システム５ｃは、移動通信網２ｃに含まれる。通信制御システム５ｃは、移動通信網２ｃへの端末４の接続を制御するコンピュータシステムである。
通信制御システム５ａ、５ｂ及び５ｃについては、特に区別の必要がない場合は、これらを総称して「通信制御システム５」と称する。
【００１８】
Ａ国には、端末４のユーザ（以下、単に「ユーザ」とも称する）が居住している。ユーザは、Ａ国に存在する移動通信網２ａを管理する通信事業者と通信サービス契約を締結している。このため、移動通信網２ａが、端末４の主契約先であるホーム網となる。
【００１９】
端末４は、移動通信網２ａにおいて端末４を識別するためのプロファイル７ａと、移動通信網２ｂにおいて端末４を識別するためのプロファイル７ｂと、を記憶している。しかしながら、端末４は、移動通信網２ｃにおいて端末４を識別するためのプロファイルを有していない。このため、端末４が通信サービスエリア６ｃに位置する場合、国際ローミング網３を用いたローミングが実行される。
【００２０】
国際ローミング網３における通信の中継については、例えば、従量制の費用が発生する。この費用は、その費用の請求元となる移動通信網２に応じて異なる可能性がある。また、通信事業者同士の契約等によって、ローミング実行時に端末４が使用できるプロファイルが制限される場合がある。
本実施形態では、これらに柔軟に対応できるように、ローミングが実行される際に端末４において用いられるプロファイルを適宜指定できる。
【００２１】
図２は、端末４の一例を示す図である。
端末４は、記憶部４１と、受取部４２と、通信部４３と、変更部４４と、制御部４５と、を含む。記憶部４１と変更部４４と制御部４５は、ＳＩＭ（Subscriber  Identity  Module）４６に含まれる。
【００２２】
記憶部４１は、通信網を用いた通信に利用可能な複数のプロファイルとして、プロファイル７ａ及び７ｂを記憶する。プロファイル７ａは、移動通信網２ａ及び通信制御システム５ａに対応する。プロファイル７ｂは、移動通信網２ｂ及び通信制御システム５ｂに対応する。端末４は、プロファイル７ａとプロファイル７ｂとのいずれかを活性状態にする。
【００２３】
受取部４２は、例えば、タッチパネル又は入力キーである。受取部４２は、ローミングが実行されるローミング対象地域において用いられるプロファイル（以下「ローミング用プロファイル」とも称する）を示すプロファイル情報を受け取る。
【００２４】
プロファイル情報は、記憶部４１に記憶されている複数のプロファイルのいずれかを、ローミング用プロファイルとして示す。換言すると、本実施形態では、プロファイル情報は、ローミング対象地域の全体について、記憶部４１に記憶されている複数のプロファイルのうち一のプロファイルを示す。受取部４２が受け取ったプロファイル情報は、記憶部４１に記憶される。
【００２５】
受取部４２は、プロファイル情報を利用するか否かを表す設定情報も受け取る。受取部４２が受け取った設定情報も、記憶部４１に記憶される。
【００２６】
通信部４３は、記憶部４１に記憶されている複数のプロファイルのいずれかのプロファイルを用いて通信を行う。本実施形態では、通信部４３は、プロファイル７ａ及び７ｂのうち、活性状態となっているプロファイルを用いて通信を行う。
【００２７】
通信部４３は、例えばホーム網である移動通信網２ａからプロファイル情報を受信する。このため、通信部４３は、プロファイル情報を受け取る受取部としても機能する。また、通信部４３は、例えば移動通信網２ａから設定情報も受信する。
【００２８】
変更部４４は、プロファイル情報を記憶部４１に記憶したり、記憶部４１に記憶されたプロファイル情報を変更したりする。
【００２９】
変更部４４は、記憶部４１にプロファイル情報が記憶されていない場合には、受取部４２が受け取ったプロファイル情報を記憶部４１に記憶したり、通信部４３が受信したプロファイル情報を記憶部４１に記憶したりする。
【００３０】
変更部４４は、記憶部４１にプロファイル情報が記憶されている状況において、通信部４３がプロファイル情報を変更する旨の変更情報を受信した場合、記憶部４１に記憶されているプロファイル情報を、当該変更情報に基づいて変更する。
【００３１】
変更部４４によって使用される変更情報は、制限されてもよい。例えば、変更部４４は、記憶部４１にプロファイル情報が記憶されている状況においては、通信部４３が移動通信網２ａ（ホーム網）から変更情報を受信した場合に、記憶部４１に記憶されているプロファイル情報を、当該変更情報に基づいて変更する。
【００３２】
変更部４４は、記憶部４１に設定情報が記憶されていない場合には、受取部４２が受け取った設定情報を記憶部４１に記憶したり、通信部４３が受信した設定情報を記憶部４１に記憶したりする。
【００３３】
変更部４４は、記憶部４１に設定情報が記憶されている状況において、通信部４３が、移動通信網２ａ（ホーム網）から設定情報を受信した場合、記憶部４１に記憶されている設定情報を、通信部４３が受信した設定情報に更新する。
【００３４】
制御部４５は、端末４の位置がローミング対象地域である場合に、プロファイル情報が示すプロファイルを使用した通信を、通信部４３に実行させる。本実施形態では、制御部４５は、設定情報がプロファイル情報を利用することを示し、かつ、端末４の位置がローミング対象地域である場合に、プロファイル情報が示すプロファイルを使用した通信を通信部４３に実行させる。
【００３５】
制御部４５は、通信部４３が受信した報知情報に含まれるＭＣＣ（Mobile  Country  Code）を用いて、端末４の位置がローミング対象地域であるか否かを判断する。報知情報に含まれるＭＣＣは、報知情報を送信する移動通信網２が設置された国を表す。
【００３６】
ＳＩＭ４６は、ＳＩＭカードとも称され、ハードウェア名称としてＵＩＣＣ（Universal  IC  Card）と称されることもある。ＳＩＭの一例として、ｅＳＩＭ（Embedded  SIM）が知られている。ｅＳＩＭは「組込み型加入者識別モジュール」とも称され、ハードウェア名称としてｅＵＩＣＣ（Embedded  UICC）と称されることもある。
【００３７】
図３は、記憶部４１が記憶している情報の一例を示す図である。
記憶部４１は、複数のプロファイルを記憶する記憶領域４１ａと、プロファイル情報を記憶する記憶領域４１ｂと、設定情報を記憶する記憶領域４１ｃと、を有する。
【００３８】
記憶領域４１ａには、プロファイルＩＤと、ホーム網フラグと、活性状態フラグと、プロファイルが、互いに対応づけられて、プロファイルごとに記憶される。
【００３９】
プロファイルＩＤは、プロファイルを識別するための識別情報である。
ホーム網フラグは、プロファイルを識別可能な移動通信網２が、端末４についての主契約先であるホーム網であるか否かを示す。
【００４０】
活性状態フラグは、プロファイルが活性状態であるか否かを示す。
活性状態のプロファイルは、端末４において通信に使用される。活性状態でないプロファイルは、端末４において通信に使用されない。このため、活性状態フラグは、端末４が通信に利用するプロファイルを示す。本実施形態では、活性状態のプロファイルについては、その活性状態フラグが「１」に設定される。非活性状態のプロファイルについては、その活性状態フラグが「０」に設定される。
【００４１】
活性状態のプロファイルは、記憶部４１に記憶された複数のプロファイルのいずれか１つである。なお、活性状態のプロファイルの数は、２以上でもよい。この場合、活性状態の複数のプロファイルについて優先順位が付され、活性状態の複数のプロファイルの中から優先順位が高い順に、端末４において実際に使用されるプロファイルが１つずつ選択されてもよい。
【００４２】
プロファイルは、ＩＭＳＩ（International  Mobile  Subscriber  Identity）及び電話番号を含む。ＩＭＳＩは、通信事業者を表すＭＮＣ（Mobile  Network  Code）と、ユーザを識別するコードであるＭＳＩＮ（Mobile  Station  Identification  Number）と、ＭＣＣとを含む。上述したプロファイルＩＤとして、そのプロファイルに含まれるＩＭＳＩが用いられてもよい。
【００４３】
記憶領域４１ｂには、プロファイル情報が記憶される。上述したように、プロファイル情報は、ローミング対象地域において使用されるプロファイルを示す。
【００４４】
記憶領域４１ｃには、設定情報が記憶される。上述したように、設定情報は、プロファイル情報を利用するか否かを表す。
【００４５】
次に、動作を説明する。
まず、端末４が、プロファイル情報を受け取り、受け取ったプロファイル情報を記憶部４１に記憶する動作を説明する。図４は、この動作を説明するためのフローチャートである。
【００４６】
例えば、移動通信網２ａは、端末４から位置登録要求を受信し、その位置登録要求についての回答を端末４に送信した後、プロファイル情報と設定情報とを端末４に送信する。
【００４７】
記憶部４１がプロファイル情報を記憶していない状況において、通信部４３が移動通信網２ａからプロファイル情報と設定情報を受信すると（ステップＳ１０１）、変更部４４は、当該プロファイル情報を記憶領域４１ｂに記憶し、当該設定情報を記憶領域４１ｃに記憶する（ステップＳ１０２）。
【００４８】
記憶部４１がプロファイル情報を記憶していない状況において、受取部４２がプロファイル情報と設定情報を受け取った場合にも、変更部４４は、当該プロファイル情報を記憶領域４１ｂに記憶し、当該設定情報を記憶領域４１ｃに記憶する。
【００４９】
なお、プロファイル情報と設定情報は、端末４の出荷時、又は、端末４をユーザに引き渡すときに、記憶部４１に記憶されてもよい。
【００５０】
次に、プロファイル情報を変更する動作を説明する。図５は、この動作を説明するためのフローチャートである。
【００５１】
変更部４４は、記憶部４１にプロファイル情報が記憶されている状況において、通信部４３が移動通信網２ａから変更情報を受信すると（ステップＳ２０１）、記憶領域４１ｂに記憶されているプロファイル情報を、当該変更情報に基づいて変更する（ステップＳ２０２）。
【００５２】
例えば、ローミング用プロファイルはプロファイル７ａである旨を示すプロファイル情報が記憶されている場合に、ローミング用プロファイルをプロファイル７ｂに変更する旨の変更情報が受信された場合、変更部４４は、プロファイル情報が示すローミング用プロファイルをプロファイル７ｂに変更する。
【００５３】
記憶部４１にプロファイル情報が記憶されていない状況において、通信部４３が移動通信網２ａから変更情報を受信した場合には、変更部４４は、当該変更情報を破棄する。
【００５４】
次に、端末４の位置に応じて、活性状態のプロファイルを設定する動作を説明する。図６は、この動作を説明するためのフローチャートである。
【００５５】
通信部４３は、活性状態のプロファイルを用いて、端末４が位置する国に設置された移動通信網２が送信した報知情報を受信する（ステップＳ３０１）。
【００５６】
続いて、制御部４５は、通信部４３が受信した報知情報に含まれるＭＣＣがＡ国を示す場合（ステップＳ３０２：ＹＥＳ）、活性状態フラグを調整して活性状態であるプロファイルをプロファイル７ａに切り替える（ステップＳ３０３）。既に、プロファイル７ａが活性状態になっている場合、制御部４５は、活性状態のプロファイルを変更せずに維持する。
【００５７】
続いて、制御部４５は、活性状態のプロファイルを使用した通信を通信部４３に実行させる（ステップＳ３０４）。
ステップＳ３０４では、例えば、制御部４５は、活性状態のプロファイルを使用して通信することを示す通信指示を通信部４３に提供する。通信部４３は、制御部４５から提供された通信指示に従って、記憶部４１を参照して活性状態のプロファイル（この場合、プロファイル７ａ）を使用して通信を実行する。
【００５８】
報知情報に含まれるＭＣＣが、Ａ国を示さずに（ステップＳ３０２：ＮＯ）、Ｂ国を示す場合（ステップＳ３０５：ＹＥＳ）、制御部４５は、活性状態フラグを調整して活性状態であるプロファイルをプロファイル７ｂに切り替える（ステップＳ３０６）。既に、プロファイル７ｂが活性状態になっている場合、制御部４５は、活性状態のプロファイルを変更せずに維持する。続いて、制御部４５は、ステップＳ３０４を実行する。この場合、ステップＳ３０４では、プロファイル７ｂを使用した通信が実行される。
【００５９】
報知情報に含まれるＭＣＣが、Ａ国とＢ国のいずれも示さない場合（ステップＳ３０５：ＮＯ）、制御部４５は、設定情報が示す内容、具体的には、プロファイル情報を利用するか否かを判断する（ステップＳ３０７）。
【００６０】
設定情報が、プロファイル情報を利用することを示していない場合（ステップＳ３０７：ＮＯ）、制御部４５は、活性状態のプロファイルを変更せずに維持する。続いて、制御部４５は、ステップＳ３０４を実行する。
【００６１】
一方、設定情報が、プロファイル情報を利用することを示している場合（ステップＳ３０７：ＹＥＳ）、制御部４５は、活性状態フラグを調整して、活性状態のプロファイルを、プロファイル情報が示すプロファイルに切り替える（ステップＳ３０８）。既に、プロファイル情報が示すプロファイルが活性状態になっている場合、制御部４５は、活性状態のプロファイルを変更せずに維持する。続いて、制御部４５は、ステップＳ３０４を実行する。このため、通信部４３は、ローミング対象地域において、プロファイル情報が示すプロファイルを用いた通信を実行する。
【００６２】
本実施形態に係る端末４及びプロファイル切替方法によれば、通信部４３は、ローミング対象地域において、プロファイル情報が示すプロファイルを用いた通信を実行する。プロファイル情報は、受取部４２又は通信部４３によって受け取られた情報である。
【００６３】
このため、受取部４２又は通信部４３によって受け取られるプロファイル情報が適宜設定されれば、ローミング用プロファイルを適宜設定できる。よって、ローミング用プロファイルの選択について、ホーム網に応じたプロファイルが固定されている場合に比べて自由度を向上できる。したがって、例えば通信事業者同士の契約によってローミングを実行できるプロファイルに制限がある場合でも、その制限の範囲内において、ローミングを利用した通信を行うことが可能になる。
【００６４】
プロファイル情報は、記憶部４１に記憶されている複数のプロファイルのうち一のプロファイルを示す。このため、例えば、ローミング対象地域の全体について、容易に、ローミング用プロファイルを設定することが可能になる。
【００６５】
変更部４４は、通信部４３が変更情報を受信した場合、記憶部４１に記憶されているプロファイル情報を、当該変更情報に基づいて変更する。このため、変更情報によって、ローミング用プロファイルを適宜変更することが可能になり、ローミング用プロファイルについての選択の自由度を向上することが可能になる。
【００６６】
変更部４４は、変更情報の送信元が予め定められた送信元である場合にのみ、プロファイル情報を、変更情報に基づいて変更してもよい。この場合、プロファイル情報を変更できる移動通信網を制限でき、第三者によるプロファイル情報の改悪を抑制可能になる。なお、プロファイル情報を変更できる移動通信網が制限されなくてもよい。
【００６７】
＜第２実施形態＞
第１実施形態では、端末４が、プロファイル情報に基づいて、ローミング用プロファイルを選定した。第２実施形態では、移動通信網２が、端末４の位置に基づいて、端末４が使用するローミング用プロファイルを選定する。
【００６８】
図７は、通信制御システム５ａが有する通信管理装置５ａ１を示す図である。なお、通信制御システム５ａは、ホーム網である移動通信網２ａに属する。
通信管理装置５ａ１は、記憶部５１と、通信部５２と、制御部５３と、を含む。
記憶部５１は、上述したプロファイル情報を記憶する。プロファイル情報は、任意のタイミングにおいて変更可能である。記憶部５１は、端末４が有するプロファイル７ａ及び７ｂも記憶する。プロファイル７ａは、Ａ国を示すＭＣＣを有する。プロファイル７ｂは、Ｂ国を示すＭＣＣを有する。このため、このプロファイル情報が用いられた場合、Ａ国とＢ国とのいずれとも異なる国（地域）は、ローミング対象地域となる。
【００６９】
通信部５２は、端末４と通信する。端末４の通信部４３は、少なくとも、端末４が受信した報知情報に含まれるＭＣＣを、通信管理装置５ａ１に通知する。本実施形態では、端末４の通信部４３は、ＭＣＣを含む位置登録要求を通信管理装置５ａ１に通知する。位置登録要求に含まれるＭＣＣがＡ国とＢ国のいずれとも異なる国を示す場合、ＭＣＣを含む位置登録要求の通知は、ローミング対象地域に端末４が位置することを意味する通知の一例となる。通信部５２は、ＭＣＣを含む位置登録要求を端末４から受信する。
【００７０】
制御部５３は、Ａ国とＢ国のいずれとも異なる国を示すＭＣＣを通信部５２が受信した場合、記憶部５１が記憶しているプロファイル情報が示すプロファイルを使用する旨を示すプロファイル指示を端末４に送信する動作を、通信部５２に実行させる。
【００７１】
図８は、通信管理装置５ａ１の動作を説明するためのフローチャートである。
端末４は、報知情報を受信すると、報知情報に含まれていたＭＣＣを含む位置登録要求を通信部４３から通信管理装置５ａ１に通知する。通信管理装置５ａ１では、通信部５２は、ＭＣＣを含む位置登録要求を受信する（ステップＳ４０１）。
【００７２】
続いて、制御部５３は、記憶部５１に記憶されたプロファイル７ａ及び７ｂと、通信部５２が受信したＭＣＣと、に基づいて、端末４の位置する国がローミング対象地域であるか否かを判断する（ステップＳ４０２）。
【００７３】
具体的には、制御部５３は、通信部５２が受信したＭＣＣが示す国が、プロファイル７ａが有するＭＣＣが示す国と、プロファイル７ｂが有するＭＣＣが示す国との、いずれとも一致しない場合、端末４の位置する国がローミング対象地域であると判断する。
【００７４】
一方、制御部５３は、通信部５２が受信したＭＣＣが示す国が、プロファイル７ａが有するＭＣＣが示す国と、プロファイル７ｂが有するＭＣＣが示す国との、いずれかに一致する場合、端末４の位置する国がローミング対象地域でないと判断する。
【００７５】
端末４の位置する国がローミング対象地域である場合（ステップＳ４０２：ＹＥＳ）、制御部５３は、プロファイル指示を端末４に送信する動作を通信部５２に実行させる（ステップＳ４０３）。
【００７６】
端末４では、通信部４３がプロファイル指示を受信すると、制御部４５は、活性状態フラグを調整して、活性状態のプロファイルを、プロファイル指示に示されたプロファイルに切り替えて、ローミングを伴う通信を通信部４３に実行させる。なお、既に、プロファイル指示に示されたプロファイルが活性状態である場合、制御部４５は、活性状態のプロファイルを切り替えずに維持して、ローミングを伴う通信を通信部４３に実行させる。
【００７７】
一方、端末４の位置する国がローミング対象地域でない場合（ステップＳ４０２：ＮＯ）、制御部５３は、プロファイル指示を通信部５２に送信させることなく、図８に示した動作を終了する。
【００７８】
第２実施形態によれば、移動通信網２が、端末４に対してローミング用プロファイルを指定する。このため、端末４は、プロファイル情報を記憶する必要がなくなる。よって、端末４が個別にプロファイル情報を有する場合に比べて、端末４が記憶しなければならない情報量を少なくすることが可能になる。
【００７９】
また、移動通信網２は、記憶部５１に記憶されたプロファイル情報を用いて、複数の端末４に対してローミング用プロファイルを指定することが可能になる。このため、記憶部５１に記憶されたプロファイル情報を変更するだけで、複数の端末４についてローミング用プロファイルを容易に変更することが可能になる。
【００８０】
＜変形例＞
本発明は、上述した実施形態に限定されない。本発明は、例えば、次に述べるような各種の変形がなされてもよい。また、次に述べる変形の態様の中から任意に選択された一又は複数の変形が適宜組み合わされてもよい。
【００８１】
＜変形例１＞
図３では、プロファイル情報は、ローミング対象地域の全体について、端末４が有する複数のプロファイルのうち１つのプロファイルを示している。しかしながら、プロファイル情報は、端末４が有する複数のプロファイルのうち２つ以上のプロファイルを示してもよい。
【００８２】
例えば、端末４の記憶部４１が、２つのプロファイル７ａ及び７ｂを示すプロファイル情報を記憶してもよい。
端末４の制御部４５は、端末４の位置がローミング対象地域である場合、プロファイル７ａ及び７ｂのうちのいずれかのプロファイルを使用した通信を、通信部４３に実行させる。例えば、制御部４５は、通信部４３がローミング対象地域において用いるプロファイルを、ローミング対象地域における通信部４３での通信の状況に応じて、プロファイル７ａ及び７ｂの中で切り替える。
【００８３】
図９は、２つのプロファイル７ａ及び７ｂを示したプロファイル情報の一例を示す図である。図９に示した例では、プロファイル７ａ及び７ｂには、優先順位が付されている。具体的には、プロファイル７ｂには優先順位「１」が付され、プロファイル７ａには優先順位「２」が付されている。ここで、優先順位は、値が小さい方が高いとする。
【００８４】
図９に示したプロファイル情報が、記憶部４１に記憶された場合、制御部４５は、まず、最も優先順位が高いプロファイル７ｂをローミング用プロファイルに設定して活性状態にする。
この状態において、通信部４３が通信できないと、制御部４５は、次に優先順位が高いプロファイル７ａをローミング用プロファイルに設定して活性状態にする。
この状態（最も優先順位が低いプロファイル７ａをローミング用プロファイルに設定して活性状態にした状態）において、通信部４３が通信できないと、制御部４５は、最も優先順位が高いプロファイル７ｂをローミング用プロファイルに再度設定して活性状態にする。以下、上記動作を繰り返す。
【００８５】
変形例１によれば、プロファイル情報に示された複数のプロファイルのうち、１つのプロファイルでは通信ができなくても、他のプロファイルを用いて通信を行うことが可能になる。このため、プロファイル情報が示すプロファイルの数が１である場合に比べて、通信ができない状態が生じる可能性を低くできる。
【００８６】
＜変形例２＞
プロファイル情報は、複数のローミング対象地域のそれぞれについて、当該ローミング対象地域において用いるプロファイルを示してもよい。この場合も、プロファイル情報に示されるプロファイルは、端末４が記憶する複数のプロファイルの中から選択される。
【００８７】
図１０は、ローミング対象地域ごとに、ローミング対象地域において用いられるプロファイルを示したプロファイル情報の一例を示す図である。
例えば、図１０に示したプロファイル情報が、記憶部４１に記憶された場合、制御部４５は、まず、報知情報に含まれるＭＣＣとプロファイル情報とに基づいて、ローミング対象地域を特定する。
続いて、制御部４５は、プロファイル情報を参照して、ローミング対象地域に対応するプロファイルを特定する。
続いて、制御部４５は、活性状態フラグを調整して、ローミング対象地域に対応するプロファイルを活性状態にする。既に、当該プロファイルが活性状態になっている場合、制御部４５は、活性状態のプロファイルを変更せずに維持する。
【００８８】
変形例２によれば、ローミング対象地域ごとに、ローミング対象地域において用いられプロファイルを設定することが可能になる。このため、ローミング対象地域に適したプロファイルを設定しやすくなる。
【００８９】
なお、変形例２において、複数のローミング対象地域の少なくとも１つのローミング対象地域について、変形例１に示したように２つ以上のプロファイルが示されてもよい。
【００９０】
＜変形例３＞
受取部４２が、表示部とタッチパネルとを含む場合、受取部４２は、ローミング対象地域において使用可能なプロファイルの候補を表示し、当該候補の中から、プロファイル情報に示されるプロファイルを、ユーザに選択させてもよい。
【００９１】
変形例３によれば、ローミング用プロファイルとして使用できないプロファイルが、プロファイル情報に示されることを低減可能になる。
【００９２】
＜変形例４＞
端末４が記憶するプロファイルの数は２に限らず３以上でもよい。
【００９３】
＜変形例５＞
設定情報は、省略されてもよい。この場合、図６に示したステップＳ３０７が省略される。
【００９４】
＜変形例６＞
第１実施形態において、記憶部４１と変更部４４と制御部４５は、ＳＩＭ４６に含まれたが、記憶部４１と変更部４４と制御部４５の少なくとも１つは、ＳＩＭ４６に含まれなくてもよい。
【００９５】
＜変形例７＞
プロファイル情報が、ホーム網である移動通信網２ａとは異なる者（例えば、移動通信網２ｂ又はユーザ）によって変更されると、セキュリティのレベルが低下したり、ホーム網のローミング収入に影響を及したりする可能性がある。
このため、プロファイル情報は、ホーム網（移動通信網２ａ）のみが変更可能であることが望ましい。以下、ホーム網のみがプロファイル情報を変更可能とする手法について説明する。
【００９６】
例えば、変更部４４は、ホーム網（移動通信網２ａ）に対応するプロファイル７ａが活性状態である場合にのみ、プロファイル情報を読み取り可能にする。この場合、端末４がホーム網（移動通信網２ａ）と通信している場合にのみ、プロファイル情報が読み取り可能となる。このため、ホーム網のみが、プロファイル情報を変更可能になる。
【００９７】
なお、ホーム網（移動通信網２ａ）に対応するプロファイル７ａが非活性状態であっても、変更部４４は、プロファイル７ａを用いた認証処理に成功した移動通信網には、プロファイル情報を変更する権限を与えてもよい。プロファイル７ａを用いた認証処理に成功する移動通信網は、ホーム網（移動通信網２ａ）である可能性が高い。このため、ホーム網のみが、プロファイル情報を変更することが可能になる。
【００９８】
プロファイル情報は、ホーム網に対応するプロファイル７ａの一部として構成されてもよい。この場合、プロファイル７ａを変更可能なホーム網のみが、プロファイル情報を変更可能になる。
【００９９】
プロファイル情報が、ホーム網に対応するプロファイル７ａに含まれない場合、変更部４４は、活性状態のプロファイル７ａを用いた通信の起動時のみ、又は、プロファイル７ａを用いた認証処理に成功した場合に限り、プロファイル情報を変更可能にしてもよい。
【０１００】
＜変形例８＞
上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手法は特に限定されない。すなわち、各機能ブロックは、物理的及び／又は論理的に結合した１つの装置によって実現されてもよい。また、各機能ブロックは、物理的及び／又は論理的に分離した２つ以上の装置を直接的及び／又は間接的に（例えば、有線及び／又は無線）接続し、これら複数の装置によって実現されてもよい。
【０１０１】
例えば、本発明の一実施形態に係る端末４及び通信管理装置５ａ１の各々は、本発明の処理を行うコンピュータによって実現されてもよい。
図１１は、本発明の一実施形態に係る端末４及び通信管理装置５ａ１の各々のハードウェア構成の一例を示す図である。
端末４及び通信管理装置５ａ１の各々は、物理的には、プロセッサ１００１、メモリ１００２、ストレージ１００３、通信装置１００４、入力装置１００５、出力装置１００６及びバス１００７などを含むコンピュータ装置として構成されてもよい。
プロセッサ１００１、メモリ１００２、ストレージ１００３、通信装置１００４、入力装置１００５、出力装置１００６及びバス１００７は、それぞれ、ハードウェアである。
なお、「装置」という文言は、回路、デバイス又はユニットなどに読み替えることができる。
端末４及び通信管理装置５ａ１の各々のハードウェア構成は、図１１に示した各装置を１つ又は複数含んでもよいし、一部の装置を含まなくてもよい。
【０１０２】
端末４及び通信管理装置５ａ１の各々における各機能は、プロセッサ１００１又はメモリ１００２に所定のソフトウェア（プログラム）を読み込ませ、プロセッサ１００１が所定のソフトウェア（プログラム）を実行することによって実現される。例えば、上述した各機能は、プロセッサ１００１が所定のソフトウェア（プログラム）を実行して、通信装置１００４が行う通信、メモリ１００２及びストレージ１００３におけるデータの読み出し及び／又は書き込みを制御することによって実現される。
【０１０３】
プロセッサ１００１は、例えば、オペレーティングシステムを動作させてコンピュータ装置全体を制御する。プロセッサ１００１は、周辺装置とのインターフェース、制御装置、演算装置及びレジスタなどを含む中央処理装置（ＣＰＵ：Central  Processing  Unit）によって構成されてもよい。例えば、上述の変更部４４、制御部４５及び５３は、プロセッサ１００１によって実現されてもよい。
【０１０４】
プロセッサ１００１は、プログラム（プログラムコード）、ソフトウェアモジュール及びデータを、ストレージ１００３及び／又は通信装置１００４からメモリ１００２に読み出し、これらに従って各種の処理を実行する。
【０１０５】
プログラムとしては、上述の実施形態において説明した動作の少なくとも一部をコンピュータ装置に実行させるプログラムが用いられる。例えば、変更部４４は、メモリ１００２に格納されプロセッサ１００１が動作する制御プログラムによって実現されてもよい。他の機能ブロックについても、変更部４４と同様に実現されてもよい。
上述の各種処理は１つのプロセッサ１００１によって実行される旨を説明してきた。しかしながら、上述の各種処理は、２以上のプロセッサ１００１によって同時又は逐次に実行されてもよい。
プロセッサ１００１は、１以上のチップによって実装されてもよい。プログラムは、電気通信回線を介してネットワークから送信されてもよい。
【０１０６】
メモリ１００２は、コンピュータ読み取り可能な記録媒体である。メモリ１００２は、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）及びＲＡＭ（Random  Access  Memory）などの少なくとも１つによって構成されてもよい。メモリ１００２は、レジスタ、キャッシュ又はメインメモリ（主記憶装置）などと呼ばれてもよい。メモリ１００２は、本発明の一実施形態を実施するために実行可能なプログラム（プログラムコード）又はソフトウェアモジュールを保存できる。
【０１０７】
ストレージ１００３は、コンピュータ読み取り可能な記録媒体である。ストレージ１００３は、例えば、光ディスク、ハードディスクドライブ、フレキシブルディスク、光磁気ディスク、スマートカード、フラッシュメモリ、フロッピー（登録商標）ディスク及び磁気ストリップなどの少なくとも１つによって構成されてもよい。光ディスクは、例えば、ＣＤ−ＲＯＭ（Compact  Disc  ＲＯＭ）などである。光磁気ディスクは、例えば、コンパクトディスク、デジタル多用途ディスク及びＢｌｕ−ｒａｙ（登録商標）ディスクなどである。フラッシュメモリは、例えば、カード、スティック及びキードライブなどである。ストレージ１００３は、補助記憶装置と呼ばれてもよい。
【０１０８】
上述の記憶媒体は、例えば、メモリ１００２及び／又はストレージ１００３を含むデータベース又はサーバその他の適切な媒体であってもよい。メモリ１００２とストレージ１００３とによって、上述の記憶部４１及び５１が実現される。
【０１０９】
通信装置１００４は、無線ネットワークを介してコンピュータ間の通信を行うためのハードウェア（送受信デバイス）である。通信装置１００４は、例えば、ネットワークデバイス、ネットワークコントローラ、ネットワークカード又は通信モジュールなどとも称される。上述の通信部４３及び５２は、通信装置１００４によって実現されてもよい。
【０１１０】
入力装置１００５は、外部からの入力を受け付ける入力デバイス（例えば、スイッチ又はボタンなど）である。上述の受取部４２は、入力装置１００５によって実現されてもよい。出力装置１００６は、外部への出力を実行する出力デバイス（例えば、ディスプレイ、スピーカー又はＬＥＤ（light  emitting  diode）ランプなど）である。なお、入力装置１００５及び出力装置１００６が一体となった構成（例えば、表示機能付きタッチパネル）が、上述の受取部４２として用いられてもよい。
【０１１１】
また、プロセッサ１００１及びメモリ１００２などの各装置は、情報を通信するためのバス１００７によって接続される。バス１００７は、単一のバスによって構成されてもよいし、装置間において異なるバスによって構成されてもよい。
【０１１２】
また、端末４及び通信管理装置５ａ１の各々は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含む態様によって構成されてもよく、当該ハードウェアによって、各機能ブロックの一部又は全てが実現されてもよい。例えば、プロセッサ１００１は、これらのハードウェアの少なくとも１つによって実装されてもよい。
【０１１３】
＜変形例９＞
情報の通知は、本明細書において説明した態様／実施形態に限られず、他の方法を用いて行われてもよい。
【０１１４】
＜変形例１０＞
本明細書において説明した各態様／実施形態の処理手順、シーケンス、及び、フローチャートなどは、矛盾の無い限り、ステップの順序を入れ替えてもよい。例えば、本明細書において説明した方法については、例示的な順序において様々なステップの要素を提示しており、提示した特定の順序に限定されない。
【０１１５】
＜変形例１１＞
入出力された情報等は、特定の場所（例えば、メモリ）に保存されてもよいし、テーブルを用いて管理されてもよい。入出力される情報等は、上書き、更新、又は追記され得る。出力された情報等は削除されてもよい。入力された情報等は他の装置へ送信されてもよい。
【０１１６】
＜変形例１２＞
本明細書において説明した各態様／実施形態は、単独に用いられてもよいし、組み合わされて用いられてもよいし、実行に伴って切り替えて用いられてもよい。また、所定の情報の通知（例えば、「Ｘであること」の通知）は、明示的な通知に限られず、暗黙的（例えば、当該所定の情報の通知を行わない）に行われてもよい。
当業者にとっては、本発明が本明細書中に説明した実施形態に限定されないことは明らかである。本発明は、特許請求の範囲の記載に基づいて定まる本発明の趣旨及び範囲を逸脱することなく修正及び変更態様として実施されてもよい。したがって、本明細書の記載は、例示説明を目的とし、本発明に対して何ら制限的な意味を有さない。
【０１１７】
［用語の意味、解釈］
【０１１８】
＜「システム」、「ネットワーク」＞
本明細書において使用する「システム」、「ネットワーク」という用語は、互換的に使用される。
【０１１９】
＜に基づいて＞
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２０】
＜第１、第２＞
本明細書において使用する「第１」及び「第２」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素への参照は、２つの要素のみが採用され得ること又は何らかの形において第１要素が第２要素に先行しなければならないことを意味しない。
【０１２１】
＜オープン形式＞
「含む（including）」、「含んでいる（comprising）」及びそれらの変形が、本明細書あるいは特許請求の範囲において使用されている限り、これら用語は、用語「備える」と同様に、包括的であることが意図される。さらに、本明細書あるいは特許請求の範囲において使用されている用語「又は（or）」は、排他的論理和ではないことが意図される。
【０１２２】
＜冠詞＞
本開示の全体において、例えば、英語におけるa，an，及びtheのように、翻訳によって冠詞が追加された場合、これらの冠詞は、文脈から明らかにそうではないことが示されていなければ、複数を含むとする。
【符号の説明】
【０１２３】
４…移動通信端末、４１…記憶部、４２…受取部、４３…通信部、４４…変更部、４５…制御部、５ａ１…通信管理装置、５１…記憶部、５２…通信部、５３…制御部。
【図１】
2019169898.tif 000003
【図２】
2019169898.tif 000004
【図３】
2019169898.tif 000005
【図４】
2019169898.tif 000006
【図５】
2019169898.tif 000007
【図６】
2019169898.tif 000008
【図７】
2019169898.tif 000009
【図８】
2019169898.tif 000010
【図９】
2019169898.tif 000011
【図１０】
2019169898.tif 000012
【図１１】
2019169898.tif 000013